(57)【特許請求の範囲】
【請求項１】
上部には被処理物を受け入れる受入口と、下部には被処理物を焼却炉に送出するための送出口と、その中間には被処理物の移動通路とを備え、その移動通路には、側部で軸支されたアームに支持板を介して取り付けられたダンパ板による開閉操作部を設けるとともに、全体をグローブボックスで外部と隔離した放射性廃棄物焼却炉用投入装置であって、前記支持板から取り外した垂下状態のダンパ板を吊り下げ、外部に搬出可能とした搬出手段を設けたことを特徴とする放射性廃棄物焼却炉用投入装置。
【請求項２】
前記移動通路には、開状態のダンパ板側から対面する移動通路壁面に向けて移動通路を横断する少なくとも２本のガイドロッドを架設可能とし、支持板から取り外した垂下状態のダンパ板を前記ロッドにて吊り下げ、対面する壁面点検口に押出し、外部に搬出可能とした請求項１に記載の放射性廃棄物焼却炉用投入装置。
【発明の詳細な説明】
【０００１】
【発明の属する技術分野】
本発明は、放射性廃棄物処理施設内に設けられた焼却炉の廃棄物投入装置の改良に関する。
【０００２】
【従来の技術】
放射性廃棄物処理施設内に設けられた焼却プラントの要部を、１事例のフロー図である図４を参照して説明すると、処理施設内において、原子力発電所などから発生した放射性を帯びた廃棄物は、前処理装置１ａを経て、投入装置１ｂで所定量ずつ焼却炉１ｃに投入される。その焼却排ガスは高温に耐えるセラミックフィルタなどを用いた１次セラミックフィルタ１ｄで完全燃焼し、その燃焼ガスは冷却器１ｅで冷却され、次いで２次セラミックフィルタ１ｆで固形分の大部分は除去される。
【０００３】
次いで、排ガスは、ＨＥＰＡ装置１ｇに導入され、ミクロン単位の微細な固形分まで完全にろ過分離して、右方の化学薬品処理域に送られる。
なお、焼却炉１ｃ、１次セラミックフィルタ１ｄ、２次セラミックフィルタ１ｆで分離された灰分など固形分は下部から抜き取られ、灰搬出コンベヤ１ｈによって、下方の灰処理域に送られる。
【０００４】
ここで廃棄物投入用の前記投入装置１ｂの構造について、図５を参照して説明すると、その上部に被処理物の受入口１１、下部に被処理物の送出口１３とを設けた移動通路１２からなるケーシング１からなる構造体であって、その移動通路１２には、側部で軸支されたアーム２１に支持板２２を介して取り付けられたダンパ板２３によって、図５下側に示すように移動通路１２を閉鎖したり、図５上側に示すように移動通路１２を開放したりする開閉操作部２が配設されている。そして、全体をグローブボックス３で包囲して外部と隔離しているものである。
【０００５】
このような投入装置１ｂでは、上下両方のダンパ板２３を閉じた状態で、被処理物が上方から送り込まれた場合、上側のダンパ板２３を開いてある量の被処理物を下方に落下させ、上側のダンパ板２３を閉じた後、下側のダンパ板２３を開けば、受入口１１と送出口１３との間を直通した状態を生じさせることなく、被処理物を焼却炉１ｃ送り出すことができる。かくして、被処理物の投入時に焼却炉側から排ガスが逆流して漏れるのを防止しているのである。
【０００６】
ところで、この投入装置１ｂの場合、放射性廃棄物が通過するので、ダンパ板２３のシーリング用パッキンの交換、清掃あるいは新品との交換などのメンテナンスのため、ダンパ板２３を外部に手作業で取り出す必要があるが、ダンパ板自重が４０ｋｇに達する重量物であること、周囲に設置されたグローブボックス３などがあるため作業空間が狭い上、放射性物質が付着した内部に触れるなど慎重な操作が要求されなどかなり面倒な作業をしなければならなかった。
【０００７】
【発明が解決しようとする課題】
本発明は、上記の問題点を解決するためになされたものであり、前記の放射性廃棄物焼却炉用投入装置において、メンテナンスの際にダンパ板を比較的容易に外部に取り出すことができるように改良した投入装置を提供する。
【０００８】
【課題を解決するための手段】
上記の問題は、上部には被処理物を受け入れる受入口と、下部には被処理物を焼却炉に送出するための送出口と、その中間には被処理物の移動通路とを備え、その移動通路には、側部で軸支されたアームに支持板を介して取り付けられたダンパ板による開閉操作部を設けるとともに、全体をグローブボックスで外部と隔離した放射性廃棄物焼却炉用投入装置であって、前記支持板から取り外した垂下状態のダンパ板を吊り下げ、外部に搬出可能とした搬出手段を設けたことを特徴とする本発明の放射性廃棄物焼却炉用投入装置によって、解決することができる。
【０００９】
また、本発明は、前記移動通路には、開状態のダンパ板側から対面する移動通路壁面に向けて移動通路を横断する少なくとも２本のガイドロッドを架設可能とし、支持板から取り外した垂下状態のダンパ板を前記ロッドにて吊り下げ、対面する壁面点検口に押出し、外部に搬出可能とした形態の放射性廃棄物焼却炉用投入装置として具体化される。
【００１０】
【発明の実施の形態】
次に、本発明の放射性廃棄物焼却炉用投入装置に係る実施形態について、図１〜３、５を参照しながら説明する。
本発明の放射性廃棄物焼却炉用投入装置の基本的構造は、先に図５によって説明した構造と軌を一にするものである。すなわち、上部に被処理物を受け入れる受入口１１と、被処理物を焼却炉（図示せず）に送出するための下方の送出口１３と、その中間に位置する被処理物の移動通路１２とを備えたケーシング１からなり、その全体は外部と隔離するためグローブボックス３で包囲されている。そして、ケーシング１内の移動通路１２には、側部で軸支されたアーム２１に支持板２３を介して取り付けられたダンパ板２３からなる開閉操作部２（図５では、上下２組の開閉操作部２がある）を設け、ダンパ板２３を回動させることにより移動通路１２を開閉するよう構成されている。
【００１１】
そして、本発明の特徴とするところは、図１に示すように、開閉操作部２を垂下状態とし、支持板２２から取り外した垂下状態のダンパ板２３を吊り下げた状態で外部に搬出できる搬出手段を設けた点にあり、具体的には、垂下状態の前記開閉操作部２に対して、開閉操作部２の支持板２３に臨む点検口４１と、ダンパ板２３の正面に臨む反対側の点検口４２を開放したうえ、前記ダンパ板２３の上部に透設した吊り下げ孔２３ａに貫通させ、かつその被処理物の移動通路１２を横断するよう２本のガイドロッド５１を架設できるよう準備してあればよい。
【００１２】
かくして、ガイドロッド５１を架設すれば、図３の示す点検口４１側から支持板２２からダンパ板２３を取り外した後、このダンパ板２３を図１に示すように反対側の点検口４２の方にガイドロッド５１に吊り下げた状態で移動させ、ガイドロッド５１から外して図２に示すように点検口４２から取り出すようにすれば、グローブボックス３などの障害物があって狭い作業空間であっても、比較的容易に作業でき、安全性も保てるという利点が得られる。
【００１３】
本発明において、ガイドロッド５１の架設手段は、特に限定するものではなく、その両端部をケーシング１から延設した係止金具の先端でもって支持する方法が採用され得る。また、ガイドロッド５１は２本に限定されず、ダンパ板２３の吊り下げ孔２３ａとの位置関係によっては、単数であってもよい。
【００１４】
【発明の効果】
本発明の放射性廃棄物焼却炉用投入装置は、以上説明したように構成されているので、メンテナンスの際にダンパ板を比較的容易に外部に取り出すことが可能となり、放射能存在下の作業を安全に行うことができるようになるという優れた効果がある。よって本発明は、従来の問題点を解消した放射性廃棄物焼却炉用投入装置として実用的価値はきわめて大なるものがある。
【図面の簡単な説明】
【図１】本発明の実施形態を説明するための要部断面図。
【図２】点検口から見たケーシング内のダンパ板の正面図。
【図３】点検口から見たケーシング内のダンパ板の操作アーム側背面図。
【図４】放射性廃棄物処理施設の処理工程の要部を示すフロー図。
【図５】放射性廃棄物焼却炉用投入装置の全体の要部断面図。
【符号の説明】
１  ケーシング、１１  受入口、１２  移動通路、１３  送出口、２  開閉操作部、２１  アーム、２２  支持板、２３  ダンパ板、２３ａ  吊り下げ孔、３  グローブボックス、４１  点検口、４２  点検口、５１  ガイドロッド。
【図１】
0003673235.tif 000002
【図２】
0003673235.tif 000003
【図３】
0003673235.tif 000004
【図４】
0003673235.tif 000005
【図５】
0003673235.tif 000006